(57)【要約】【課題】ユーザの操作性を低下させることなく、原稿の位置ずれや折れ曲がりを防止して、読み取り画像の乱れを防ぐことが可能な画像読取装置を提供する。【解決手段】原稿Ｓが載置される透明な原稿台ガラス１０２と、原稿台ガラス１０２に対して開閉自在に設けられ、原稿Ｓを原稿台ガラス１０２上に押さえつける原稿カバー１０１と、原稿台ガラス１０２に載置された原稿Ｓの画像を、原稿台ガラス１０２の下面側から光学的に走査して読み取るキャリッジ１０８と、原稿台ガラス１０２の下面側に設けられ、原稿Ｓを原稿台ガラス１０２上に吸着保持する原稿吸着部材１０３と、を備える画像読取装置１００において、キャリッジ１０８によって原稿Ｓの画像を読み取る際に、原稿吸着部材１０３がキャリッジ１０８の走査範囲外に退去可能に構成される。【選択図】図３
2009147486.tif 000002
【特許請求の範囲】
【請求項１】
原稿が載置される透明な載置面を有する原稿台と、
前記載置面に対して開閉自在に設けられ、原稿を前記載置面上に押さえつける原稿カバーと、
前記載置面に載置された原稿の画像を、前記載置面の下面側から光学的に走査して読み取る画像読取ユニットと、
前記載置面の下面側に設けられ、原稿を前記載置面上に吸着保持する原稿吸着保持手段と、
を備える画像読取装置において、
前記画像読取ユニットによって原稿の画像を読み取る際に、前記原稿吸着保持手段が前記画像読取ユニットの走査範囲外に退去可能に構成されることを特徴とする画像読取装置。
【請求項２】
前記画像読取ユニットが前記載置面に沿って移動可能に構成されると共に、
前記原稿吸着保持手段が前記画像読取ユニットと連動して、前記画像読取ユニットの走査範囲外に退去可能に構成されることを特徴とする請求項１に記載の画像読取装置。
【請求項３】
前記原稿吸着保持手段は、
前記画像読取ユニットの画像読み取り時の移動方向下流側に設けられることを特徴とする請求項２に記載の画像読取装置。
【請求項４】
前記原稿吸着保持手段は、
蛇腹状の形状を有することを特徴とする請求項１乃至３のいずれか１項に記載の画像読取装置。
【請求項５】
前記原稿吸着保持手段は、
通電されることで静電気力的に原稿を前記載置面上に吸着保持することを特徴とする請求項１乃至４のいずれか１項に記載の画像読取装置。
【請求項６】
前記原稿吸着保持手段に対する通電のＯＮ／ＯＦＦを切り替える原稿吸着切り替え手段が設けられることを特徴とする請求項５に記載の画像読取装置。
【請求項７】
前記原稿吸着保持手段に対する通電のＯＮ／ＯＦＦの切り替えは、
前記原稿カバーの開閉動作と連動して行われることを特徴とする請求項６に記載の画像読取装置。
【請求項８】
前記原稿カバーを前記載置面に対して閉じたときに、前記原稿吸着保持手段への通電がＯＦＦになることを特徴とする請求項７に記載の画像読取装置。
【発明の詳細な説明】
【技術分野】
【０００１】
本発明は、画像を読み取る画像読取装置であって、特に原稿を原稿台に載置した状態で原稿の画像を読み取る画像読取装置に関する。
【背景技術】
【０００２】
画像読取装置は一般的に、原稿を載置する原稿台ガラス（載置面）と、この原稿台ガラス上に載置した原稿を原稿台ガラスに押さえつける原稿カバーとを備える。そして、原稿カバーによって原稿を原稿台ガラスに押さえつけた状態で、画像の読み取りが行われる。
【０００３】
しかし、画像の読み取りはある基準範囲内で行われるので、原稿が基準範囲外にずれると、一部の画像に関しては読み取ることが出来ず、画像が欠落してしまうといった問題を生じる。また、原稿台ガラス上で原稿がカールをしている場合には、原稿カバーを閉める際に原稿が折れ曲がってしまい、画像が欠落してしまうことがある。
【０００４】
このような画像読み取り時の原稿位置のずれや原稿の折れ曲がりを防止し、読み取り画像の欠落を防止するために、特許文献１には、原稿押さえ部材を用いて原稿を原稿台に確実に固定する方法が開示されている。また、特許文献２には、静電吸着保持手段により原稿を原稿台に吸着させる方法が開示されている。
【特許文献１】特開２００３−１４０２７６号公報
【特許文献２】特開平１１−２６１７５０号公報
【発明の開示】
【発明が解決しようとする課題】
【０００５】
図１０に特許文献１に開示される画像読取装置の概略構成を示す。図１０に示されるように、特許文献１に開示される画像読取装置１０００は、原稿台１００１の上に原稿Ｓを載置して画像の読み取りを行うものである。また、原稿Ｓを原稿台１００１の所定の位置に固定する手段として、原稿押さえ部材１００２が設けられている。
【０００６】
この構成によれば、原稿Ｓを原稿台１００１に確実に固定することが可能になるものの、原稿Ｓを原稿台１００１に載置する度にユーザが原稿押さえ部材１００２の取り付け、取り外しを行う必要があるので、ユーザの操作性を低下させてしまう。
【０００７】
また、図１１に特許文献２に開示される画像読取装置２０００の概略構成を示す。この画像読取装置２０００は、原稿Ｓを原稿台ガラス２００２上に固定する手段として、静電吸着保持手段２００１を備えることを特徴とする。
【０００８】
静電吸着保持手段２００１は原稿台ガラス２００２の上面に設けられ、原稿Ｓをクーロン力によって、原稿の載置面である原稿台ガラス２００２に固定するものである。
【０００９】
この構成によれば、原稿Ｓの位置ずれ、折れ曲がりを防止することを可能にしつつ、ユーザの操作性を向上させることが可能になる。しかし、原稿台ガラス２００２の上面に静電吸着保持手段２００１が設けられるので、装置本体内部から原稿Ｓに向けて照射される露光ランプの光、又は原稿Ｓから反射されて装置本体内部へ進む光、が静電吸着保持手段２００１で乱反射するおそれがある。
【００１０】
すなわち、装置本体内部から原稿Ｓに対して光を照射して、その反射光を装置本体内部の画像読取素子が検知することで原稿Ｓの画像を読み取る場合において、原稿Ｓの画像を
正確に読み取ることが困難になり、読み取り画像に乱れが生じる可能性がある。
【００１１】
以上より、従来の画像読取装置では、ユーザの操作性を低下させることなく、原稿の位置ずれや折れ曲がりを防止して、読み取り画像の乱れを防ぐことが可能な画像読取装置の構成に関しては開示されていない。
【００１２】
上記現状に鑑みて本発明は、ユーザの操作性を低下させることなく、原稿の位置ずれや折れ曲がりを防止して、読み取り画像の乱れを防ぐことが可能な画像読取装置を提供することを目的とする。
【課題を解決するための手段】
【００１３】
上記目的を達成するために本発明にあっては、原稿が載置される透明な載置面を有する原稿台と、前記載置面に対して開閉自在に設けられ、原稿を前記載置面上に押さえつける原稿カバーと、前記載置面に載置された原稿の画像を、前記載置面の下面側から光学的に走査して読み取る画像読取ユニットと、前記載置面の下面側に設けられ、原稿を前記載置面上に吸着保持する原稿吸着保持手段と、を備える画像読取装置において、前記画像読取ユニットによって原稿の画像を読み取る際に、前記原稿吸着保持手段が前記画像読取ユニットの走査範囲外に退去可能に構成されることを特徴とする。
【発明の効果】
【００１４】
本発明によれば、ユーザの操作性を低下させることなく、原稿の位置ずれや折れ曲がりを防止して、読み取り画像の乱れを防ぐことが可能な画像読取装置を提供することが可能になる。
【発明を実施するための最良の形態】
【００１５】
以下に図面を参照して、この発明を実施するための最良の形態を、実施の形態に基づいて例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１６】
[第１の実施の形態]
図１〜図４を参照して、本発明の第１の実施の形態に係る画像読取装置に関して説明を行う。
【００１７】
（画像読取装置の全体構成）
図１に、本実施の形態に係る画像読取装置の概略構成図を示す。本実施の形態に係る画像読取装置１００は、原稿が載置される原稿台ガラス（透明な載置面）１０２と、原稿台ガラス１０２の下面側に設けられる原稿吸着部材（原稿吸着保持手段）１０３と、を備える。さらに、装置本体に軸支され、原稿台ガラス１０２の上面に対して開閉自在に構成される原稿カバー１０１を備える。
【００１８】
原稿カバー１０１は、軸を中心に回転して原稿台ガラス１０２の上面に対して閉じることで、原稿を原稿台ガラス１０２の上面に押さえつけるものである。また、原稿吸着部材１０３は、不図示の通電手段に接続されることでクーロン力（静電気力）Ｆを発生し、クーロン力を発生することで、静電気力的に原稿を原稿台ガラス１０２の上面に静電吸着させることが可能である。
【００１９】
図２に、本実施の形態に係る画像読取装置１００において、原稿吸着部材１０３を不図示の通電手段によって通電し、それにより生じるクーロン力Ｆによって原稿Ｓを原稿台ガラス１０２の上面に吸着させる状態を示す。図２（ａ）に示すように、原稿Ｓがカールを
有する場合であっても、原稿吸着部材１０３を通電することで、図２（ｂ）に示すように原稿Ｓを原稿台ガラス１０２の上面に確実に吸着させることが可能である。
【００２０】
また、本実施の形態に係る画像読取装置１００には、原稿吸着部材１０３への通電／非通電（通電のＯＮ／ＯＦＦ）を切り替えることで、原稿の静電吸着のＯＮ／ＯＦＦを切り替える原稿吸着切り替え機構（原稿吸着切り替え手段）１５０を有する。
【００２１】
図３に示すように、原稿吸着切り替え機構１５０は、切替スイッチ１０４と、原稿カバー１０１の開閉に連動して、切替スイッチ１０４との接触／非接触を行う切替リンク部材１０６と、が設けられている。さらに、切替リンク部材１０６を切替スイッチ１０４と接触する方向へ付勢する切替リンクバネ（付勢部材）１０７が設けられる。
【００２２】
切替リンク部材１０６と切替スイッチ１０４が接触している状態（図３（ａ））においては、原稿吸着部材１０３への通電が可能であり、一方で両者が非接触の状態（図３（ｂ））においては、原稿吸着部材１０３に対して通電されることはない。
【００２３】
また、原稿カバー１０１には、原稿カバー１０１を閉じた際に切替リンク部材１０６を押圧して切替リンク部材１０６と切替スイッチ１０４を非接触の状態にする、切替リンク押圧部１０５が設けられている。
【００２４】
すなわち本実施の形態では、原稿カバー１０１を閉じることによって、切替リンク押圧部１０５が切替リンク部材１０６を押圧し、原稿吸着部材１０３への通電状態を解除する。一方で、原稿カバー１０１を開くことによって、切替リンク押圧部１０５が切替リンク部材１０６から離間し、原稿吸着部材１０３を通電される状態にする構成である。
【００２５】
（原稿吸着切り替え機構の動作説明）
図３を参照して、原稿吸着切り替え機構１５０の動作についてさらに詳細に説明する。
【００２６】
図３（ａ）に示す原稿カバー１０１を開いた状態とは、即ち、原稿を原稿台ガラス１０２の上面に載置する状態であり、切替リンク部材１０６が切替リンクバネ１０７によって付勢され、切替リンク部材１０６と切替スイッチ１０４が接触した状態になる。よって、不図示の通電手段から原稿吸着部材１０３への回路が閉じた状態になり、原稿吸着部材１０３が通電され、原稿が原稿台ガラス１０２の上面に静電吸着される状態になる。
【００２７】
また、図３（ｂ）に示す原稿カバー１０１を閉じた状態とは、例えば画像の読み取りが行われる状態を示す。この状態では、原稿カバー１０１を原稿台ガラス１０２に対して閉じているので、原稿は原稿台ガラス１０２の上面に確実に押さえつけられることになる。よって、原稿吸着部材１０３に通電して原稿を静電吸着する必要はないので、切替リンク部材１０６と切替スイッチ１０４を非接触の状態にしても、原稿の載置状態には支障をきたさない。
【００２８】
すなわち、原稿カバー１０１を閉じると、原稿カバー１０１に設けられる切替リンク押圧部１０５が、切替リンク部材１０６を切替リンクバネ１０７の付勢力に抗して押圧し、切替リンク部材１０６と切替スイッチ１０４を非接触の状態にする。よって、不図示の通電手段から原稿吸着部材１０３への回路が遮断された状態になり、原稿吸着部材１０３の通電状態が解除される。
【００２９】
（画像読み取りプロセスの説明）
次に図４を参照して、本実施の形態における画像読み取りプロセスの説明を行う。図４は、本実施の形態における画像読み取りプロセスの概略を示す図である。
【００３０】
図４に示すように、画像読取装置１００内部には、原稿Ｓに光を照射する露光ランプ（不図示）、原稿Ｓからの反射光を読取る読取素子（不図示）、及び反射光を読取素子に導く反射ミラー等の光学部品（不図示）、を一体に備えるキャリッジ１０８が設けられる。すなわち、キャリッジ１０８は光学的に走査して原稿台ガラス１０２の下面側から画像を読み取る画像読取ユニットとして用いられるものである。
【００３１】
キャリッジ１０８は、不図示の駆動手段から駆動力を受け、軸形状を有するキャリッジガイド１１０にガイドされて、原稿台ガラス１０２の下面に沿って移動可能に構成される。なお、図４に示すように、画像の読み取りを行う際には、キャリッジ１０８が図中右方向に移動しながら画像の読み取りを行う。即ち、本実施の形態においては、図４中右方向がキャリッジ１０８の読み取り時の移動方向であり、左方向がキャリッジ１０８のホームポジション復帰方向である。
【００３２】
また、原稿吸着部材１０３は、図４に示すように蛇腹状の断面形状を有し、断面が略Ｕ字形状をしたガイド１１１の形状に沿って変形可能であり、かつ、キャリッジ１０８に接続されてキャリッジ１０８と連動可能に構成される。なお、原稿吸着部材１０３は、キャリッジ１０８の読取時の移動方向下流側に接続される。即ち、キャリッジ１０８がキャリッジガイド１１０に沿って移動すると、それに連動して、原稿吸着部材１０３もガイド１１１内を移動する。
【００３３】
図４（ａ）は、読み取り動作開始前におけるキャリッジ１０８のホームポジション状態を示すものである。この状態では、原稿吸着部材１０３は原稿台ガラス１０２の下面側に配置されている。
【００３４】
図４（ａ）では、原稿カバー１０１が閉じられて原稿吸着部材１０３の通電状態は解除されているが、原稿カバー１０１を開いて原稿吸着部材１０３を通電し、原稿を原稿台ガラス１０２に静電吸着させた状態でも、キャリッジ１０８はホームポジションにある。なお、原稿吸着部材１０３の面積は、露光ランプの原稿台ガラス１０２に対する投影面積よりも大きい。
【００３５】
図４（ｂ）は、読み取り動作実行中のキャリッジ１０８の状態を示すものである。この状態では、画像の読み取りが行われているので、原稿カバー１０１は閉じられ、それによって原稿吸着部材１０３への通電状態も解除されている。
【００３６】
そして、通電されていない原稿吸着部材１０３がキャリッジ１０８の移動と連動してガイド１１１内を移動し、キャリッジ１０８の走査範囲外まで退去する。なお、原稿吸着部材１０３は原稿カバー１０１の開閉動作に連動して通電が解除されるので、原稿吸着部材１０３の移動に連られて、原稿Ｓが静電気的に移動することはない。
【００３７】
以上の構成によれば、画像読み取り時は、キャリッジ１０８の移動に連動して原稿吸着部材１０３がキャリッジ１０８の走査範囲外まで退去可能なので、露光ランプより照射される光や、原稿Ｓからの反射光を原稿吸着部材１０３が遮る心配がない。
【００３８】
よって、原稿Ｓを原稿台ガラス１０２の上面に確実に載置した状態で、画像を正確に読み取ることが出来る。
【００３９】
すなわち本実施の形態によれば、静電吸着により原稿Ｓを原稿台ガラス１０２の上面に吸着保持することで、ユーザの操作性を低下させることなく原稿台に載置する原稿の位置ずれや折れ曲がりを防止することが出来る。さらに、原稿吸着部材１０３が、露光ランプ
の光路や原稿Ｓからの反射光の光路を遮る心配がないので、原稿吸着部材１０３内で生じる光の乱反射に起因する画像乱れの発生を低減させることができる。
【００４０】
よって、ユーザの操作性を低下させることなく、原稿の位置ずれや折れ曲がりを防止して、読み取り画像の乱れを防ぐことが可能な画像読取装置を提供することが可能になる。
【００４１】
[第２の実施の形態]
図５〜図９を参照して、本発明の第２の実施の形態に係る画像読取装置について説明を行う。なお、本実施の形態は、原稿吸着切り替え機構２００の構成、動作、及び画像読み取りのプロセスが上記第１の実施の形態と異なるものである。よって、ここでは原稿吸着切り替え機構２００の構成、動作、及び画像読み取りのプロセスについてのみ説明を行い、第１の実施の形態と説明が重複する部分については同一の符号を付して説明を省略する。
【００４２】
（原稿吸着切り替え機構の構成）
図５に、本実施の形態における原稿吸着切り替え機構２００の概略構成を示す。図５に示すように、本実施の形態における原稿吸着切り替え機構２００は、第１切替リンク部材２０１と、切替リンク摺動部材２０２と、第２切替リンク部材２０３と、切替スイッチ２０４と、切替リンクバネ２０５と、バネ台座２０６と、を備える。
【００４３】
第１切替リンク部材２０１は、原稿カバー１０１に設けられる切替リンク押圧部１０５、もしくはユーザ自らによって押圧される部材である。そして、押圧される側と逆方向の周縁部には、周方向に沿って複数の山形状２０１Ａが形成されている。
【００４４】
切替リンク摺動部材２０２は、略中空部分を有する部材であって、その略中空部分に第１切替リンク部材２０１、第２切替リンク部材２０３が入り込み、略中部分の内周壁と摺動可能に構成される。
【００４５】
さらに切替リンク摺動部材２０２の第２リンク部材２０３側の縁部には、周方向に沿って複数のノコギリ形状２０２Ａと切替リンクストッパ溝２０２Ｂが形成されている。なお、図５にも示すように、ノコギリ形状２０２Ａの高さはｔ（ｍｍ）であり、切替リンクストッパ溝２０２Ｂの溝の深さはＴ（ｍｍ）に設定される。
【００４６】
第２切替リンク部材２０３は、柱状部分を有する部材であって、切替リンク摺動部材２０２側の端部の外周面には、斜面を有する複数の突起リブ２０３Ａが設けられる。また、原稿吸着部材１０３への通電のＯＮ／ＯＦＦを切り替える切替スイッチ２０４に接触する、切替スイッチ押圧部２０３Ｂが設けられる。
【００４７】
切替リンクバネ２０５は、一端がバネ台座２０６に取り付けられ、他端が第２切替リンク部材２０３に当接する弾性部材である。そして、第２切替リンク部材２０３に設けられる切替スイッチ押圧部２０３Ｂが切替スイッチ２０４に接触するように、第２切替リンク部材２０３を上方（Ｚ＋方向）へ付勢する。
【００４８】
（原稿吸着切り替え機構の動作：原稿吸着をＯＦＦにする場合）
図６を参照して、上記のように構成される原稿吸着切り替え機構２００において、原稿吸着部材１０３による原稿吸着をＯＦＦにする場合の動作について説明する。図６は、原稿吸着がＯＮの状態からＯＦＦの状態に移り変わる際の原稿吸着切り替え機構２００の動作を示すものである。なお、原稿吸着をＯＦＦにする場合とは、切替スイッチ２０４と非接触の状態にし、原稿吸着部材１０３への通電を解除する状態を指す。
【００４９】
図６（ａ）は、原稿吸着がＯＮの状態を示すものである。この状態では、切替スイッチ２０４が、第２切替リンク部材２０３の切替スイッチ押圧部２０３Ｂと接触するので、不図示の通電手段から原稿吸着部材１０３への回路が閉じた状態になる。すなわち、原稿吸着部材１０３への通電が行われ、原稿吸着がＯＮになる。
【００５０】
なお、この状態では、第２切替リンク部材２０３が切替リンクバネ２０５に付勢され（Ｚ＋方向）、突起リブ２０３Ａが切替リンク摺動部材２０２の切替リンクストッパ溝２０２Ｂに突き当たる状態で静止する。
【００５１】
図６（ｂ）は、図６（ａ）の状態から外部手段により第１切替リンク部材２０１がＴ（ｍｍ）以上押圧され、第１切替リンク部材２０１の山形状２０１Ａと第２切替リンク部材２０３の突起リブ２０３Ａが接しながら下方に移動する状態を示すものである。
【００５２】
上記で説明したように、切替リンクストッパ溝２０２Ｂの深さはＴ（ｍｍ）に設定されているので、第１切替リンク部材２０１をＴ（ｍｍ）以上下方に移動させると、それに伴って突起リブ２０３Ａが切替リンクストッパ溝２０２Ｂから脱出することが可能である。
【００５３】
図６（ｃ）は、第２切替リンク部材２０３の突起リブ２０３Ａが切替リンクストッパ溝２０２Ｂから脱出した後に、第２切替リンク部材２０３が図中矢印方向に回転移動する様子を示すものである。すなわち、突起リブ２０３Ａの斜面部が第１切替リンク部材２０１の山形状２０１Ａに倣って滑り、そのまま切替リンク摺動部材２０２のノコギリ形状２０２Ａの斜面部に接触して滑ることで、第２切替リンク部材２０３が回転移動する。
【００５４】
図６（ｄ）は、第２切替リンク部材２０３が回転移動し終わった状態を示すものである。すなわち、突起リブ２０３Ａが切替リンクストッパ溝２０２Ｂから脱出し（図６（ｂ））、ノコギリ形状２０２Ａの斜面を滑り（図６（ｃ））、ノコギリ形状２０２Ａの所定の位置に突き当たることで、第２切替リンク部材２０３が静止した状態である。
【００５５】
この状態では、切替スイッチ２０４は第２切替リンク部材２０３の切替スイッチ押圧部２０３Ｂと接触しないので、原稿吸着部材１０３への通電は行われず、原稿吸着がＯＦＦの状態が保たれる。
【００５６】
（原稿吸着切り替え機構の動作：原稿吸着をＯＮにする場合）
図７を参照して、原稿吸着部材１０３による原稿吸着をＯＮにする場合の動作について説明する。図７は、原稿吸着がＯＦＦの状態からＯＮの状態に移り変わる際の原稿吸着切り替え機構２００の動作を示すものである。なお、原稿吸着をＯＮにする場合とは、第２切替リンク部材２０３が切替スイッチ２０４に接触する状態にし、原稿吸着部材１０３への通電を行う状態を指す。
【００５７】
図７（ａ）は、原稿吸着がＯＦＦの状態を示すものである。この状態は、上記で説明した図６（ｄ）の状態と同一である。すなわち、第２切替リンク部材２０３が切替リンクバネ２０５に付勢され、突起リブ２０３Ａが切替リンク摺動部材２０２に突き当たって静止状態にある。なお、切替スイッチ２０４は第２切替リンク部材２０３の切替スイッチ押圧部２０３Ｂと接触しない。
【００５８】
図７（ｂ）は、図７（ａ）の状態から外部手段により第１切替リンク部材２０１がｔ（ｍｍ）以上押圧され、第１切替リンク部材２０１の山形状２０１Ａと第２切替リンク部材２０３の突起リブ２０３Ａが接しながら下方に移動する状態を示すものである。
【００５９】
上記で説明したように、切替リンク摺動部材２０２のノコギリ形状２０２Ａの高さはｔ
（ｍｍ）に設定されているので、第１切替リンク部材２０１をｔ（ｍｍ）以上下方に移動させると、突起リブ２０３Ａがノコギリ形状２０２Ａから脱出することが可能である。
【００６０】
図７（ｃ）は、第２切替リンク部材２０３の突起リブ２０３Ａがノコギリ形状２０２Ａから脱出した後に、第２切替リンク部材２０３が図中矢印方向に回転移動する様子を示すものである。すなわち、突起リブ２０３Ａの斜面部が第１切替リンク部材２０１の山形状２０１Ａに倣って滑り、そのまま切替リンク摺動部材２０２のノコギリ形状２０２Ａの斜面部に接触して滑ることで、第２切替リンク部材２０３が回転移動する。
【００６１】
図７（ｄ）は、第１切替リンク部材２０１への押圧が解除され、第２切替リンク部材２０３が回転移動し終わった状態を示すものである。すなわち、突起リブ２０３Ａがノコギリ形状２０２Ａから脱出し（図７（ｂ））、ノコギリ形状２０２Ａの斜面を滑り（図７（ｃ））、切替リンクストッパ溝２０２Ｂに入り込んで突き当たることで、第２切替リンク部材２０３が静止する。
【００６２】
この状態では、切替スイッチ２０４は第２切替リンク部材２０３の切替スイッチ押圧部２０３Ｂと接触するので、原稿吸着部材１０３への通電が行われ、原稿吸着がＯＮの状態が保たれる。
【００６３】
（画像読み取りプロセスの説明）
図８、図９を参照して、本実施の形態における画像読み取り動作の説明を行う。図８、図９は、本実施の形態における画像読み取りプロセスの概略を示す図である。
【００６４】
ここでは、第１切替リンク部材２０１を押圧する外部手段として、ユーザ自らが押圧する場合と、原稿カバー１０１に設けられる切替リンク押圧部１０５によって押圧する場合を想定する。
【００６５】
図８は、ユーザによって第１切替リンク部材２０１を押圧した後、原稿カバー１０１を閉じて、切替リンク押圧部１０５によって、再度第１切替リンク部材２０１を押圧する状態を示すものである。また、図９は、ユーザによって第１切替リンク部材２０１を押圧せず、原稿カバー１０１を閉じる場合を示すものである。
【００６６】
また、本実施の形態においては、原稿カバー１０１に設けられる切替リンク押圧部１０５が第１切替リンク部材２０１を押圧する際のストロークＸ（ｍｍ）は、上記で説明したＴ（ｍｍ）、ｔ（ｍｍ）を用いて、Ｔ＜Ｘ＜（Ｔ＋ｔ）で表される。
【００６７】
図８（ａ）は、原稿カバー１０１を開いて、原稿Ｓを原稿台ガラス２０２上に載置した状態である。この状態では、第２切替リンク部材２０３が切替スイッチ２０４と接触していないので、原稿吸着部材１０３は通電されておらず、原稿吸着がＯＦＦとなっている（図７（ａ）に示す状態）。
【００６８】
この状態でユーザが第１切替リンク部材２０１をｔ（ｍｍ）以上押圧すると、上記図７（ａ）〜（ｄ）を参照して説明したように、原稿吸着切り替え機構２００の作用によって原稿吸着がＯＦＦからＯＮの状態になる。
【００６９】
よって、図８（ｂ）に示すように、原稿Ｓはクーロン力により原稿台ガラス２０２の上面に静電吸着される。その後、画像読み取り動作を行わせるために原稿カバー１０１を閉じると、切替リンク押圧部１０５が第１切替リンク部材２０１を押圧することにより、上記図６（ａ）〜（ｄ）を参照して説明したように、原稿吸着がＯＦＦになる。
【００７０】
その後、画像読み取り動作終了後に原稿カバー１０１を開けると、再び最初の原稿吸着がされていない状態に戻る（図６（ｄ）又は図７（ａ）の状態）。
【００７１】
次に、図９を参照して、ユーザによって第１切替リンク部材２０１を押圧せず、原稿カバー１０１を閉じる場合をについて説明する。
【００７２】
図９（ａ）は、原稿吸着がＯＦＦの状態（図６（ｄ）又は図７（ａ）の状態）である。画像読み取り動作を行う前にユーザが第１切替リンク部材２０１を押圧しないとすると、図９（ｂ）に示すように、原稿吸着切り替え機構２００は作用せず、原稿吸着がＯＦＦの状態が保たれ、原稿Ｓは原稿台ガラス２０２の上面に静電吸着されない。
【００７３】
その後、画像読み取り動作を行うために原稿カバー１０１を閉じると、切替リンク押圧部１０５が第１切替リンク部材２０１を押圧することになる。しかし、第１切替リンク部材２０１は、切替リンクストッパ溝２０２Ｂの下方、すなわち既にＴ（ｍｍ）移動された位置にある。さらに、第１切替リンク部材２０１を押すストロークＸ（ｍｍ）が（Ｔ＋ｔ）未満に設定されていることにより、第１切替リンク部材２０１はｔ（ｍｍ）以上移動することができない。
【００７４】
よって、原稿吸着切り替え機構２００は、上記図７（ａ）〜（ｄ）で説明した原稿吸着ＯＦＦからＯＮの動作をすることができないので、原稿吸着がＯＦＦの状態のままとなる。
【００７５】
以上の構成により、本実施の形態によれば、原稿カバー１０１を開けたときは、常に原稿吸着はＯＦＦとなっており、ユーザが原稿吸着をさせたい時のみ、第１切替リンク部材２０１を押して原稿の吸着保持を行うことができる。
【００７６】
すなわち、本実施の形態によれば、第１の実施の形態と同様な効果が得られるだけではなく、ユーザが自由に原稿吸着の使用・未使用を選択できる。よって、原稿の位置合わせや原稿交換時に、原稿吸着の影響を受けないようにすることができる。
【００７７】
従って、原稿取扱い時の作業性をより一層向上させることができるので、ユーザの操作性をさらに向上させることができる。
【図面の簡単な説明】
【００７８】
【図１】第１の実施の形態に係る画像読取装置の概略構成図
【図２】第１の実施の形態において原稿Ｓが原稿台に吸着される状態を示す図
【図３】第１の実施の形態における原稿吸着切り替え機構の動作を示す図
【図４】第１の実施の形態における画像読み取りプロセスを示す図
【図５】第２の実施の形態における原稿吸着切り替え機構の概略構成図
【図６】第２の実施の形態において原稿吸着をＯＦＦに切り替える場合の説明図
【図７】第２の実施の形態において原稿吸着をＯＮに切り替える場合の説明図
【図８】第２の実施の形態における画像読み取りプロセスの説明図
【図９】第２の実施の形態における画像読み取りプロセスの説明図
【図１０】従来例に係る画像読取装置の概略構成図
【図１１】従来例に係る画像読取装置の概略構成図
【符号の説明】
【００７９】
１００  画像読取装置
１０１  原稿カバー
１０２  原稿台ガラス
１０３  原稿吸着部材
１０４  切替スイッチ
１０５  切替リンク押圧部
１０６  切替リンク部材
１５０  原稿吸着切り替え機構
Ｓ      原稿
【図１】
2009147486.tif 000003
【図２】
2009147486.tif 000004
【図３】
2009147486.tif 000005
【図４】
2009147486.tif 000006
【図５】
2009147486.tif 000007
【図６】
2009147486.tif 000008
【図７】
2009147486.tif 000009
【図８】
2009147486.tif 000010
【図９】
2009147486.tif 000011
【図１０】
2009147486.tif 000012
【図１１】
2009147486.tif 000013